(57)【要約】【課題】  往復ポンプの初期空気はポンプ始動の不具合になり排除する必要がある。ポンプ高圧側に設けた空気抜き弁をプッシュボタンの押圧で開け空気抜きをしているが容易に排出できず、水の吐出に時間がかかる。又、ポンプ駆動用のクランク軸の軸受からクランクケース外へ潤滑油が漏出するのを防止するシールユニットと、クランク軸の上部を被う筒部にそれぞれ通気孔を設け該通気孔からクランクケース内の空気を抜いているものがある。【解決手段】水タンクに接続する給水ホースからポンプ低圧側の吸込管へ給水し、吸込管から分岐して設けたバイパス管から供給水に入っている初期空気を放出する往復ポンプ。【選択図】        図１
2010121549.tif 000002
【特許請求の範囲】
【請求項１】
水タンクに接続する給水ホースからポンプ低圧側の吸込管へ給水し、吸込管から分岐して設けたバイパス管から供給水に入っている初期空気を放出することを特徴とする往復ポンプ。
【請求項２】
給水ホースから水道水をポンプへ直接供給する請求項１記載の往復ポンプ。    
【発明の詳細な説明】
【技術分野】
【０００１】
本発明は往復ポンプにおける初期空気抜き装置に関し、ポンプに水を供給する給水ホース内に残存した初期空気を低圧側の吸込管路と連通するバイパス管から放出するものであり、供給水を水タンクへ一旦貯留するタンク方式と、給水ホースから水道水をポンプへ直接供給する水道水直結方式について用いる。
【背景技術】
【０００２】
１  給水ホース内に残存した初期空気はポンプ始動の不具合となり排除する必要がある。そのためポンプの高圧側に空気抜き弁を設け該弁を押圧するプッシュボタンを手動で押し続け空気抜きを行っているが容易に排除できず水が吐出するまでに相当の時間を要している。又、空気抜き弁を備えない小型ポンプの場合、初期空気が阻害して始動せず排水できないことがある。
【０００３】
２  又、霧発生装置に接続する高圧管路放圧構造に関し、ノズルから霧を高圧噴射の操作中に噴射を停止すると管路に内圧が充満しているためノズルから水漏れがあるのを防止する目的で、バルブをポンプの高圧側の吐出口に直接装着し、バルブ内に配置された組み立て式スライド体及び弾性を持つプラグで入水及び出水を制御し、高圧水の吐出停止に伴い還流する高圧水流による圧力を放圧バルブ口から放圧してノズルからの水漏れを防いでいる考案がある（特許文献１）。
【０００４】
３  又、クランクケース内の潤滑油がクランクケース外へ漏出するのを防止するポンプ装置として、往復ポンプを駆動させるクランク軸の軸受からの潤滑油漏出を防止するシールユニットを設け、シールユニットに第１通気孔を形成すると共にクランク軸の上端部を被う筒部に第２通気孔を形成し、両通気孔からクランクケース内の空気を外部へ抜き潤滑油漏出防止を図っている発明がある（特許文献２）。
【特許文献１】登録実用新案第３１２７３８２号公報
【特許文献２】特開２００６−９０２７５号公報
【発明の開示】
【発明が解決しようとする課題】
【０００５】
１  往復ポンプの高圧側に空気抜き弁を設けたものであり、該弁を押圧するプッシュボタンを手動で押し続け空気抜きを行っているが初期空気を容易に排除できず水が吐出するまでに相当の時間を要している。
【０００６】
２  往復ポンプを駆動させるクランク軸を内装したクランクケースに設けているものでありケース内の圧力上昇を抑止するため、クランクケース内外と第１通気孔を連通させると共にクランク軸の上端部を被う筒部の内外と第２通気孔を連通させ潤滑油漏出を防止しているのであり、単にケース内の圧力上昇を抑止するためだけのものである。
【課題を解決するための手段】
【０００７】
本発明は上記の課題を解決するため、ポンプに水を供給する給水ホース内に残存した初期空気を低圧側の吸込管路と連通するバイパス管から放出するものであり、供給水を水タンクへ一旦貯留するタンク方式と、給水ホースから水道水をポンプへ直接供給する水道水直結方式について用いられ、初期空気の放出が容易であり、高圧側に設けている既存のプッシュボタンの操作と相俟って高圧側の空気抜きと水の吐出時間の短縮を図ることを目的とする。
【発明の効果】
【０００８】
往復ポンプに連通する給水ホース内の初期空気の放出が容易であるためポンプ内へ入る空気が少なくなってポンプの始動が容易であり、且つ水の吐出時間の短縮を図ることができる。
【発明を実施するための最良の形態】
【０００９】
図１は本発明装置における、供給水を水タンクへ一旦貯留させるタンク方式の実施例を示す正面図、図２はその要部を示す拡大図、図３は供給水の循環系統図、図４ａはタンク方式の概略図、図４ｂは水道水直結方式の概略図である。
【実施例１】
【００１０】
タンク方式（図４ａ）
水タンク１に給水ホース２が連結され、給水ホース２内には初期空気が水と共に混在している。給水ホース２からの水を往復ポンプ３の低圧側４の吸込管路４ａと、初期空気を抜くバイパス管５の接続部５ａに分岐して給水し、更に低圧側の吸込管路４ａは往復ポンプ３の高圧側６の吐出管路６ａに連通している。往復ポンプ３は電動機７で駆動され、その低圧側４には低圧弁４ｂが、高圧側６には高圧弁６ｂがそれぞれ設けられている。高圧側６は吐出ホース８に連通し、吐出水は図示していないが例えば送風機から霧状の水を噴霧し外気温を下げるため、送風機の外周に沿って設けられている円形管のノズルから霧状の水を噴霧するのである。
【００１１】
高圧側空気抜き弁６ｃに既存の空気抜き用のプッシュボタン９を連結し、プッシュボタン９の押圧操作でバイパス管５からの空気抜きと相俟って高圧側の残留空気を排出するのである。
【００１２】
高圧側６から水を吐出するとき余剰の供給水は還流ホース１０から水タンク１へ戻る。
【００１３】
バイパス管５の上部は逆Ｕ字形に形成され、低圧側４からの水位は水タンク１の水位と同高に保持され往復ポンプ３を使用しないときはバイパス管５の末端に設けているコック１１を閉じて溢水しないようにする。
【００１４】
図３の供給水の循環系統図に示すように、水位により作動するフロート弁体１２を水タンク１内に設けて水位が低下したとき給水管から水が自動的に補給される。吐出ホース８からの吐出水は、水の流通を許容しないが残留空気の流通が可能な小径孔１３を設けている空腔部１４及び吐出圧力調整部１５を経て放出されるのであり、吐出圧力調整部１５内には圧力調整アクチェータ１６と流通孔１７が設けられ、吐出水の所定水圧による通常負荷の場合、圧力調整アクチェータ１６と流通孔１７との圧接を、押しバネ１８による押圧抵抗に抗し解放して水を吐出すると共に、水圧が上がらないとき瞬時に吐出を停止させる。水圧が過大になると吐出水を逃がす弁を有する弁箱１９を吐出圧力調整部１５と連通して設け、弁箱１９からの逃げ水は還流ホース１０から水タンク１へ戻る。尚、前記した高圧側６からの余剰水は還流ホース１０に設けている一方向流通弁２０を経て水タンク１へ戻される。
【実施例２】
【００１５】
水道水直結方式（図４ｂ）
水道水の蛇口２１から往復ポンプ３へ給水パイプ２を経て直接に給水するものであり、給水時にバイパス管５側へ水を一旦オーバーフローさせた後、バルブ２２を閉じることが肝要である。その余の構成はタンク方式と同じである。
【図面の簡単な説明】
【００１６】
【図１】本発明装置における、供給水を水タンクへ一旦貯留させるタンク方式の実施例を示す正面図。
【図２】同、要部を示す拡大図。
【図３】同、供給水の循環系統図。
【図４】ａ  タンク方式の概略図。
【００１７】
ｂ  水道水直結方式の概略図。
【符号の説明】
【００１８】
１  水タンク  ２  給水ホース  ３  往復ポンプ  ４  ポンプ低圧側
４ａ  吸込管  ５  バイパス管  ６  ポンプ高圧側  ６ａ  吐出管路
８  吐出管  １０  還流ホース
【図１】
2010121549.tif 000003
【図２】
2010121549.tif 000004
【図３】
2010121549.tif 000005
【図４】
2010121549.tif 000006